(57)【要約】【課題】組付作業性の良いアンテナを提供する。【解決手段】アンテナ装置において，反射器の前方側の略中心部には，反射器の前方側にアンテナ支持杆の軸線に略平行となるように形成された少なくともアンテナ支持杆の周方向の半分若しくはそれより狭い範囲の外周面に対応する形状を有する，アンテナ支持杆に取付けるための取付手段を備えたアンテナ支持杆取付部と，この取付部の後方側において取付部の突設方向に略直交するように連設された前記反射器に取付けるための反射器取付部とからなる取付アングルを備える。取付アングルのアンテナ支持杆取付部をアンテナ支持杆の周径方向から周面に当付け，そして，取付手段に対して止着手段でもって取付ける。反射器をアンテナ支持杆に取付けたときに，取付手段の位置決めができると共にアンテナ支持杆の後端側開口端が反射器若しくは取付アングルを構成する部材の一部によって閉塞される。【選択図】  図３
2008109456.tif 000002
【特許請求の範囲】
【請求項１】
少なくとも放射器と反射器がアンテナ支持杆に支持されてなるアンテナ装置において，
前記反射器の前方側の略中心部には，反射器の前方側に前記アンテナ支持杆の軸線に略平行となるように形成された，少なくともアンテナ支持杆の端部における周方向の半分より広い範囲の外周面に対応する形状を有する，前記アンテナ支持杆に取付けるための取付手段を備えたアンテナ支持杆取付部と，このアンテナ支持杆取付部の後方側においてアンテナ支持杆取付部の突設方向に略直交するように連設された前記反射器に取付けるための反射器取付部と，からなる取付アングルが備えられ，
前記取付アングルの前方側アンテナ支持杆取付部を前記アンテナ支持杆の軸線方向からアンテナ支持杆を挿入し，止着手段でもって前記取付アングルをアンテナ支持杆に形成された取付手段に対して取付けるように構成したことを特徴とするアンテナ装置。
【請求項２】
少なくとも放射器と反射器がアンテナ支持杆に支持されてなるアンテナ装置において，
前記反射器の前方側の略中心部には，反射器の前方側に前記アンテナ支持杆の軸線に略平行となるように形成された，少なくともアンテナ支持杆の端部における周方向の半分若しくはそれより狭い範囲の外周面に対応する形状を有する，前記アンテナ支持杆に取付けるための取付手段を備えたアンテナ支持杆取付部と，このアンテナ支持杆取付部の後方側においてアンテナ支持杆取付部の突設方向に略直交するように連設された前記反射器に取付けるための反射器取付部と，からなる取付アングルが備えられ，
前記取付アングルの前方側アンテナ支持杆取付部を前記アンテナ支持杆の周径方向からアンテナ支持杆の周面に当付け，止着手段でもって前記取付アングルをアンテナ支持杆に形成された取付手段に対して取付けるように構成したことを特徴とするアンテナ装置。
【請求項３】
前記取付アングルを備えた前記反射器を前記アンテナ支持杆に取付けるときに，前記アンテナ支持杆の後端側開口端と前記反射器若しくは前記取付アングルを構成する部材の一部とを当接させることによって，前記アンテナ支持杆取付部側の取付手段と，前記アンテナ支持杆側に形成された取付手段とが相対向するように構成したことを特徴とした請求項１または請求項２に記載のアンテナ装置。
【請求項４】
前記取付アングルを備えた前記反射器を前記アンテナ支持杆に取付けたときに，前記アンテナ支持杆の後端側開口端が前記反射器若しくは前記取付アングルを構成する部材の一部によって閉塞されるように構成したことを特徴とした請求項３に記載のアンテナ装置。
【発明の詳細な説明】
【技術分野】
【０００１】
本発明は，主にテレビ受信に利用されるアンテナに関し，詳しくはＵＨＦ帯のテレビ電波を受信するＵＨＦアンテナに適したアンテナの構成に関する。
【背景技術】
【０００２】
近年広がりつつある地上ディジタル放送は，一定レベル以上の電波を受信できれば，ディジタル放送の持つその優れた特性によって綺麗な画像を受信することが出来ることから，従来のアナログ放送受信用アンテナで一般的であった八木・宇多式アンテナに加え，ベランダでも屋内であっても簡単に取付けができ，しかも邪魔にならないような小型で軽量，且つデザイン性にも優れた多様なアンテナが求められるようになった。しかし，地上ディジタル放送の受信であっても共同受信に使うようなアンテナは，信号の分配を考慮して八木・宇多式アンテナのような高性能なアンテナを利用するほうがよい。
このような従来の八木・宇多式アンテナとして，アンテナ支持杆にアンテナ素子として導波用，放射用，反射用がブームの軸線方向に適当な間隔を隔てた位置に，夫々軸線の方向に直行する方向に向けた複数個の貫通孔を備えたアンテナ支持杆に対し，上記複数個の貫通孔の夫々にパイプ状に形成された導波用および反射用のアンテナ素子を貫通させ，これらのアンテナ素子をアンテナ支持杆に夫々固定する方法のアンテナがある。（例えば，特許文献１参照）
また，アンテナの特性を高性能にするために，例えば反射器として，反射用のエレメントを上下方向に複数本備えたり，反射ネットを備えさせたりする場合は，アンテナ支持杆の一端部に突出状に具備された支持片に前記反射用のエレメントや反射ネットが固着されるように構成されたアンテナがある。（例えば，特許文献２参照）
【０００３】
【特許文献１】特開昭５７−１１５００１号公報
【特許文献２】実開昭５５−１４４４０５号公報
【発明の開示】
【発明が解決しようとする課題】
【０００４】
しかし，特許文献１に示されるように反射用アンテナ素子をアンテナ支持杆に形成された貫通孔に固定する方法によって構成されているアンテナは，導波用アンテナ素子をアンテナ支持杆に固定するように同じ方法で固定できるので，アンテナの生産性はよいものの，反射器が複数の反射用アンテナ素子若しくは反射ネットからなるアンテナに比べてその電気的特性は良くなかった。
また，特許文献２のように反射器を複数の反射用アンテナ素子で構成したり，反射ネットで構成したりしたものは，反射用アンテナ素子や反射ネットを固定する支持片が必要となり，その取付構造が複雑となることによって部品代や生産コストのアップを招き，延いては製品のコストアップとなるといった問題や，外径形状が大きくなるといった問題があった。
そこで本発明においては，こうした問題点を解決するためになされたものであり，
その目的は，簡単な構成で組み立ての簡単なアンテナを提案することを課題とする。
他の目的は，生産コストの安価なアンテナを提案することを課題とする。
他の目的は，広帯域に亘って特性のよいアンテナを提案することを課題とする。
他の目的は，小型でも高性能なアンテナを提供することを課題とする。
他の目的は，設置工事に際して簡単且つ安全なアンテナを提供することがある。
他の目的は，簡単な構成で組立て易くても耐久性の高いアンテナを提供することを課題とする。
【課題を解決するための手段】
【０００５】
上記課題を解決するために，請求項１の発明は，少なくとも放射器と反射器がアンテナ支持杆に支持されてなるアンテナ装置において，前記反射器の前方側の略中心部には，反射器の前方側に前記アンテナ支持杆の軸線に略平行となるように形成された，少なくともアンテナ支持杆の端部における周方向の半分より広い範囲の外周面に対応する形状を有する，前記アンテナ支持杆に取付けるための取付手段を備えたアンテナ支持杆取付部と，このアンテナ支持杆取付部の後方側においてアンテナ支持杆取付部の突設方向に略直交するように連設された前記反射器に取付けるための反射器取付部と，からなる取付アングルが備えられ，前記取付アングルの前方側アンテナ支持杆取付部を前記アンテナ支持杆の軸線方向からアンテナ支持杆を挿入し，止着手段でもって前記取付アングルをアンテナ支持杆に形成された取付手段に対して取付けるように構成した。
【０００６】
請求項２の発明は，少なくとも放射器と反射器がアンテナ支持杆に支持されてなるアンテナ装置において，前記反射器の前方側の略中心部には，反射器の前方側に前記アンテナ支持杆の軸線に略平行となるように形成された，少なくともアンテナ支持杆の端部における周方向の半分若しくはそれより狭い範囲の外周面に対応する形状を有する，前記アンテナ支持杆に取付けるための取付手段を備えたアンテナ支持杆取付部と，このアンテナ支持杆取付部の後方側においてアンテナ支持杆取付部の突設方向に略直交するように連設された前記反射器に取付けるための反射器取付部と，からなる取付アングルが備えられ，前記取付アングルの前方側アンテナ支持杆取付部を前記アンテナ支持杆の周径方向からアンテナ支持杆の周面に当付け，止着手段でもって前記取付アングルをアンテナ支持杆に形成された取付手段に対して取付けるように構成した。
【０００７】
請求項３の発明は，請求項１または請求項２の何れか一項に記載のアンテナ装置において，前記取付アングルを備えた前記反射器を前記アンテナ支持杆に取付けるときに，前記アンテナ支持杆の後端側開口端と前記反射器若しくは前記取付アングルを構成する部材の一部とを当接させることによって，前記アンテナ支持杆取付部側の取付手段と，前記アンテナ支持杆側に形成された取付手段とが相対向するように構成した。
【０００８】
請求項４の発明は，請求項３に記載のアンテナ装置において，前記取付アングルを備えた前記反射器を前記アンテナ支持杆に取付けたときに，前記アンテナ支持杆の後端側開口端が前記反射器若しくは前記取付アングルを構成する部材の一部によって閉塞されるように構成した。
【発明の効果】
【０００９】
請求項１の発明によれば，少なくとも放射器と反射器がアンテナ支持杆に支持されてなるアンテナ装置において，前記反射器の前方側の略中心部には，反射器の前方側に前記アンテナ支持杆の軸線に略平行となるように形成された，少なくともアンテナ支持杆の端部における周方向の半分より広い範囲の外周面に対応する形状を有する，前記アンテナ支持杆に取付けるための取付手段を備えたアンテナ支持杆取付部と，このアンテナ支持杆取付部の後方側においてアンテナ支持杆取付部の突設方向に略直交するように連設された前記反射器に取付けるための反射器取付部と，からなる取付アングルが備えられ，前記取付アングルの前方側アンテナ支持杆取付部を前記アンテナ支持杆の軸線方向からアンテナ支持杆を挿入し，止着手段でもって前記取付アングルをアンテナ支持杆に形成された取付手段に対して取付けるように構成したので，取付アングルが簡単に構成できる。
また，取付アングルとアンテナ支持杆との取付作業は，前記取付アングルのアンテナ支持杆取付部に対してアンテナ支持杆を挿入し，夫々に形成された取付手段同士を固着するだけでよいので，反射器の取付けが，簡単且つ安全な作業性によって生産できる生産性の良いアンテナが提供できる。
【００１０】
請求項２の発明によれば，少なくとも放射器と反射器がアンテナ支持杆に支持されてなるアンテナ装置において，前記反射器の前方側の略中心部には，反射器の前方側に前記アンテナ支持杆の軸線に略平行となるように形成された，少なくともアンテナ支持杆の端部における周方向の半分若しくはそれより狭い範囲の外周面に対応する形状を有する，前記アンテナ支持杆に取付けるための取付手段を備えたアンテナ支持杆取付部と，このアンテナ支持杆取付部の後方側においてアンテナ支持杆取付部の突設方向に略直交するように連設された前記反射器に取付けるための反射器取付部と，からなる取付アングルが備えられ，
前記取付アングルの前方側アンテナ支持杆取付部を前記アンテナ支持杆の周径方向からアンテナ支持杆の周面に当付け，止着手段でもって前記取付アングルをアンテナ支持杆に形成された取付手段に対して取付けるように構成したので，取付アングルが簡単に構成でき，しかも，前記取付アングルの前方側アンテナ支持杆取付部を前記アンテナ支持杆の周径方向からアンテナ支持杆の周面に当付けた状態で，止着手段でもって前記取付アングルとアンテナ支持杆に形成された取付手段同士を固着するだけでよいので，反射器の取付けがアンテナ支持杆の一方向からでき，簡単且つ安全な作業性によって生産できる生産性の良いアンテナが構成され，延いては製品コストの安価なアンテナが提供できる。
【００１１】
請求項３の発明は，請求項１または請求項２の何れか一項に記載のアンテナ装置において，前記取付アングルを備えた前記反射器を前記アンテナ支持杆に取付けるときに，前記アンテナ支持杆の後端側開口端と前記反射器若しくは前記取付アングルを構成する部材の一部とを当接させたときに，前記アンテナ支持杆取付部側の取付手段と，前記アンテナ支持杆側に形成された取付手段とが相対向するように構成したので，アンテナ支持杆に反射器を当接させるだけでアンテナ支持杆と反射器を取付けるために備えられた夫々の取付手段の位置決めがなされ，アンテナ支持杆と反射器を固着する止着手段の装着が容易になることによって，生産効率が非常に良くなり，延いては製品コストの削減ができる。
【００１２】
請求項４の発明によれば，請求項３の発明において，反射器を前記アンテナ支持杆に取付けたときに，前記アンテナ支持杆の後端側開口端が前記反射器若しくは前記取付アングルを構成する部材の一部によって閉塞されるように構成したので，従来例のようにアンテナ支持杆の前方側端部と後方側端部に形成される切断面を覆い，アンテナ支持杆内部に風などによって舞い上げられた埃や砂，雨水等を防ぐための保護キャップを前方側と後端側に必要とすることが無く，前端側だけに備えさせればよいことから，部材の削減によるコストダウン，組み付け工数およびチェック工数の削減による組立費のコストダウンが実現できる。
【発明を実施するための最良の形態】
【００１３】
以下に，本発明を具体化した実施形態の例を，図面を基に詳細に説明する。
図１は本発明に係るアンテナの放射器の構成を示す概略斜視図である。図２は本発明に係るアンテナの導波器を示す概略構成図であり（ａ）は上面図であり，（ｂ）は正面図であり，（ｃ）は背面図であり，（ｄ）は右側面図である。図３（ａ）は本発明に係るアンテナの反射器の斜視図であり，（ｂ）は反射器とアンテナ支持杆の取付構造を示す一部を破断した要部拡大図である。図４は本発明に係るアンテナを示す概略の構成図であり，（ａ）は上面図であり，（ｂ）は側面図である。（ｃ）はアンテナの異なる実施例を示す側面図である。図５は図４（ａ）におけるＡ−Ａ線断面図であり，（ｂ）は図４（ａ）におけるＢ−Ｂ線断面図（反射器は省略した）である。図６は図４（ａ）におけるＣ−Ｃ線断面図であり，（ｂ）は図６（ａ）におけるＤ−Ｄ線断面図（反射器は一部を破断した）である。図７は本発明に係るアンテナの放射器の電気的特性を示すデータである。
【実施例１】
【００１４】
先ず本発明に係るアンテナの放射器について図１を用いて説明する。図１において１０は本発明に係る放射器を示す。この図に示されるように放射器１０は，第１放射器１１と第２放射器１２を，図に示される前方（図に示される矢印Ｆ方向）に第２放射器１２，後方に第１放射器１１となるように相互に離隔して平行に配した構成になっている。この第１放射器１１は放射器の配列方向に略直交する平面上に，水平方向の両側に長く，夫々の元部１１ｇ，１１ｇには相互に対向する接続点１１ａ，１１ａ´を備える上部放射素子１１ｄと，該上部放射素子１１ｄより下方に略平行に配設される下部放射素子１１ｅと，上部放射素子１１ｄと下部放射素子１１ｅの両端部を結ぶ側部放射素子１１ｂ，１１ｃからなる矩形に形成された１つの第１ループアンテナから構成されている。
同様に第２放射器１２は，放射器の配列方向に略直交する平面上に，水平方向の両側に長く，夫々の元部１２ｇ，１２ｇには相互に対向する接続点１２ａ，１２ａ´を備える上部放射素子１２ｄと，該上部放射素子１２ｄより下方に略平行に配設される下部放射素子１２ｅと，上部放射素子１２ｄと下部放射素子１２ｅの両端部を結ぶ側部放射素子１２ｂ，１２ｃからなる矩形に形成された１つの第２ループアンテナから構成されている。
しかも，第１ループアンテナ１１と第２ループアンテナ１２とは，ループアンテナの配列方向に相対向する第１ループアンテナ１１の元部１１ｇ，１１ｇの接続点１１ａ，１１ａ´と第２ループアンテナ１２の元部１２ｇの接続点１２ａ，１２ａ´の夫々前後に対向する接続点間（１１ａ−１２ａ間，１１ａ´−１２ａ´間）に，位相調整用の位相調整手段１５，１５が介設されている。
尚，本発明に実施例では放射素子としてのループアンテナの形状を矩形としたが，特にこの形状に限定されるものではなく必要に応じて他の形状となるように構成してもよい。
【００１５】
そして，この構成において所望の電気的特性が得られるように第１のループアンテナ１１および第２ループアンテナ１２の長さ，間隔を決定する。本発明によれば前記第１ループアンテナ１１の長さは使用周波数における最小周波数に対応する波長λ１と略等しい長さであり，前記第２ループアンテナ１２の長さは使用周波数における中心周波数に対応する波長λ２と略等しい長さであり，第１ループアンテナと第２ループアンテナ相互間の間隔は使用周波数における中心周波数に対応する波長λ２の略１０分の１であるように構成されている。
ここで，放射器のループアンテナの具体的な寸法を示す。第１のループアンテナ１１は側部放射素子１１ｂ−１１ｃ間の長さＷ４＝２６０ｍｍ，側部放射素子１１ｂおよび１１ｃの長さＨ４＝４５．５ｍｍであり，第２のループアンテナ１２は側部放射素子１２ｂ−１２ｃ間の長さＷ５＝２２５ｍｍ，側部放射素子１２ｂおよび１２ｃの長さＨ５＝４５．５ｍｍであり，第１のループアンテナ１１と第２のループアンテナ１２の間隔は５２ｍｍである。
このように構成された放射器１０は第１ループアンテナ１１，第２ループアンテナ１２の配列方向に最大の指向特性を有するように構成される。
尚，本発明の実施例において，前記第１ループアンテナ１１および前記第２ループアンテナ１２は直径３ｍｍの金属棒を所定長に折り曲げ形成したものであるが，金属パイプで形成してもよいし，導電材をプレス加工したものでもよいし，細い線材をループ状に形成したものを樹脂で一体成形してもよい等，導電材料であれば実施例に限定されるものではない。
【００１６】
そして，少なくとも，放射器１０を構成する第１ループアンテナ１１の元部１１ｇ，１１ｇ，第２ループアンテナ１２の元部１２ｇ，１２ｇと位相調整手段１５，１５はケース５に収納されている。
尚，本発明の実施例では，前記位相調整手段１５はプリント配線板に備えられた金属導体を所定の長さにエッチングすることによって形成したものでもよいし，金属板等を所定長に打ち抜き形成するなどして形成してもよい等その形成方法は実施例に限定されるものではない。
このように構成された放射器１０の電気的特性を図７に示す。このデータは特にアンテナの前後比に注目したデータであり，従来の導体棒で構成したアンテナの場合とループアンテナで構成した場合を比較したものである。この結果によれば，本発明のループアンテナで構成したものが導体棒で構成したものに比べてほぼ全体域に渡って前後比の改善が見られる。
【００１７】
次に導波器３について図２を用いて説明する。尚，図２においては説明を簡単にするために１つの導波器を示したが，本発明のアンテナでは複数の導波器を前後に配列して導波器３を形成している。図２に示されるように本発明の実施例における導波器３は，垂直方向の高さに比べて水平方向の長さが長い略長方形に形成された第３ループアンテナ３０，３０を，導波器３の配列方向に直交する平面上に所定間隔離し，第３ループアンテナ３０の長手方向の軸線を水平方向に一致させて２つ並列配置した構成となっている。そして，この導波器が前後方向に所定間隔だけ離れて複数個配設されている。
この第３ループアンテナ３０は導波器の配列方向に直交する平面上に，水平方向に長い上部導波素子３０ｄと該上部放射素子３０ｄより下方に略平行に配設される下部導波素子３０ｅと，上部導波素子３０ｄと下部導波素子３０ｅの両端部を結ぶ側部導波素子３０ｂ，３０ｃからなる矩形に形成されている。尚，本発明の実施例では導波器３は，側部導波素子３０ｂ，３０ｂの間隔（以下，導波器の幅と記載する。）Ｗが夫々異なる３Ａ，３Ｂの２類用意されている。尚，導波素子の高さＨ１は一種類である。
【００１８】
ここで，導波器の第３ループアンテナ３０の具体的な寸法を示す。本発明の実施例では，第３ループアンテナ３０の幅ｗはそれぞれｗ１＝１２４ｍｍ，ｗ２＝１４６ｍｍの２種類あり，夫々の導波器は長さＨ１＝２２ｍｍが同じ長さの側部放射素子３０ｂ（３０ｃ）から構成されており，第３ループアンテナ３０を相互に６０ｍｍ離すように配設されて導波器を構成している。従って，導波器３は図４に示されるように，導波器の幅ＷがＷ１＝３１４ｍｍ（導波器３Ａ）とＷ２＝３５８ｍｍ（導波器３Ｂ）の２種類となる。
尚，本発明の実施例では，前記第３ループアンテナ３０は直径３ｍｍの金属棒を所定長に折り曲げ形成したものであるが，この実施例に限定されるものではなく，金属パイプで形成してもよいし，導電材をプレス加工したものでもよいし，細い線材をループ状に形成したものを樹脂で一体成形してもよい等，導電材料であれば実施例に限定されるものではない。また，この実施例では第３のループアンテナ３０が矩形をしている例を示したが，この実施例に限定されるものではなく適宜にその形状を変えてもよい。
【００１９】
そして，この第３ループアンテナ３０，３０は，図２に示されるように，第３ループアンテナの長手方向の軸線を同一線上に配設すると共に，導波器３の幅Ｗが前述した所定長となるように，夫々の元部３０ｇをループアンテナ支持台３１によって保持されて導波器３が形成されている。このループアンテナ支持台３１は，合成樹脂材等を金型等によって成形したものであり，第３ループアンテナ３０，３０はループアンテナ支持台３１に一体加工によってしっかりと取付けられ，ループアンテナ３０が水平方向にスタック配列された導波器３を構成している。
ループアンテナ支持台３１の略中心位置には，導波器３を支持固定する（図には示されていない）アンテナ支持杆２を挿通するための挿通孔３４が形成されている。更に，この挿通孔３４の周縁の全周若しくは図における少なくとも上側部分には，アンテナ支持台３１からアンテナ支持杆２の軸線方向に略平行に突設し，その突設部分の中央部にはアンテナ支持杆２の軸線に直交する方向に軸線を有する貫通孔３３を備えた突設片３２が形成されている。
【００２０】
次に反射器について図３を用いて説明する。図３（ａ）は反射器２０の概略斜視図である。図３（ａ）において２０は反射器であり，本発明の実施例では反射器２０は表面をアルマイト処理されたアルミ板材を矩形に打ち抜き形成したものであり，反射器２０内に形成された２０ａは反射器２０の軽量化や受風面積の低減を兼ねてデザインされた反射器２０を打ち抜き形成した長孔である。
５０は反射器２０とアンテナ支持杆２との間に介在させることにより反射器２０とアンテナ支持杆２とを固定するための取付アングルである。この取付アングル５０は反射器２０の前方側に突出するように形成した少なくともアンテナ支持杆２の周方向の半分若しくはそれより狭い範囲で，アンテナ支持杆２の外周面に対応するように湾曲部５１を形成した所定の長さを有するアンテナ支持杆取付部５２と，このアンテナ支持杆取付部５２の後方側においてアンテナ支持杆取付部５２の突設方向に略直交するように連設された前記反射器２０に取付けるための反射器取付部５７から構成されている。この反射器取付部５７と反射器２０とは例えば螺子６０とナット６１とでしっかりと固定されている。
そして，前記取付アングル５０の前方側アンテナ支持杆取付部５２を前記アンテナ支持杆２の周径方向（図ではアンテナ支持杆の上方）からアンテナ支持杆２の周面に当付け，止着手段としての螺子棒５３とナット５４でもって前記取付アングル５０をアンテナ支持杆２に取付けるように構成されている。
ここで反射器２０の具体的な寸法を示す。本発明の実施例では板厚が１，５ｍｍでアルミ材を幅Ｗ６＝２９５ｍｍ，高さＨ６＝１００ｍｍに形成したものである。
尚，本発明の実施例に示す取付アングル５０のアンテナ支持杆取付部５２は，少なくともアンテナ支持杆２の周方向の半分若しくはそれより狭い範囲で，アンテナ支持杆２の外周面に当付けるようして取付ける構成の例を示したが，この実施例に限定されるものではなく，アンテナ支持杆取付部５２は，アンテナ支持杆２の周方向の半分より広い範囲の外周面に対応する形状を有することで，アンテナ支持杆２を抱き込むような形状に形成し，アンテナ支持杆２の端部に挿入するようにして取付ける構成にしてもよい。
【００２１】
このように構成された放射器１０と導波器３を備えたアンテナの構成例を図４に示す。図４において１はアンテナであり，本発明の実施例では，ＵＨＦアンテナを構成した例を示している。上述のように導波器３は幅Ｗが異なる２種類の導波器３Ａ，３Ｂから構成されており，アンテナの前方側から順に第１の導波器３Ａ，第２の導波器３Ａ，第３の導波器３Ａの３本の導波器が夫々Ｌ１に示される間隔で配設され，その後にＬ２に示される間隔だけ離れて第４の導波器３Ａが配設され，さらにＬ３に示される間隔だけ離れて第５の導波器３Ｂが配設されている。
そして，第５の導波器３Ｂの後方には，第２ループアンテナ１２と第１ループアンテン１１との前後の中心点と前記第５の導波器３Ｂとの間隔がＬ４となるように放射器１０が配設され，放射器１０の後方には間隔Ｌ５だけ離れて反射器２０が配設されて全部で７エレメントのＵＨＦアンテナを構成している。
ここで，各素子の間隔の具体的な寸法を示す。本発明に係る実施例においてはＬ１＝１００ｍｍ，Ｌ２＝１０５ｍｍ，Ｌ３＝１１５ｍｍ，Ｌ３＝７５ｍｍ，Ｌ４＝１２５ｍｍである。
尚，この図に示されるように，第１，第２，第３および第４の導波器３Ａの幅がＷ１で示され，第５の導波器３Ｂの幅がＷ２で示されている。これらの導波器の高さ（側部導波素子３ｂ）は何れもＨ１である。
放射器１０は，第２ループアンテナ１２の幅がＷ５で示され，第１ループアンテナ１１の幅がＷ４で示され，その高さはＨ４，Ｈ５で示されている。
反射器２０は幅Ｗ６であり，高さＨ６で示されている。
尚，本発明の実施例ではループアンテナの高さは導波器３がＨ１であるように構成されているが，特にこの実施例に限定されるものではなく，例えば，導波器の隣り合うループアンテナの，電波到来方向に対して前方に位置するループンテナの垂直方向の高さが，後方に位置するループアンテナの垂直方向の高さより僅かに小さくなるように構成してもよい。
【００２２】
ここで，図５および図６を基に導波器３と放射器１０と反射器２０をアンテナ支持杆２に取付ける具体的な手順を説明する。図５は（ａ）は図４（ａ）に示されているＡ−Ａ線断面図であり，（ｂ）は図４（ａ）に示されているＢ−Ｂ線断面図である。図６（ａ）は図４（ａ）に示されているＣ−Ｃ線断面図であり，図６（ｂ）は図６（ａ）に示されているＤ−Ｄ線断面図である。尚，この図４（ｂ）においては説明を簡単にするために反射器２０は省略してある。
導波器３（図では第６の導波器３Ｃ）をアンテナ支持杆２に取付ける手順を説明する。先ずアンテナ支持杆２を導波器３のループアンテナ支持台３１に形成した挿通孔３４に挿通する。アンテナ支持杆２には上述に示す第１の導波器３Ａから第５の導波器３Ｂの配設間隔であるＬ１，Ｌ２，Ｌ３に対応する位置にアンテナ支持杆２を貫通するように軸線に直交する上下方向に導波器取付用の貫通孔２３が形成されているので，所定の導波器を，それに対応する導波器取付用の貫通孔２３の軸線とループアンテナ支持台３１の突設片３２に形成された貫通孔３３の軸線とを略一致するように位置させて，例えば突設片３２の上方から貫通孔３３，導波器取付用の貫通孔２３を挿通するようにネジ２１を備え，このネジ２１をアンテナ支持杆２の下側に備えたナット２２に螺合する事によって導波器３とアンテナ支持杆２を挟着保持すれば，導波器３はアンテナ支持杆２に対して所定の間隔でしっかりと取付けられる。
尚，本発明の実施例ではアンテナ支持杆２は導波器の中心点（即ち，ループアンテナ支持台に形成された挿通孔）を通過するようにして導波器３を支持した例を示したが，図４（ｃ）に示されるようにアンテナ支持杆２の上側（もしくは下側）に各エレメントが配されるように構成してもよいなど特に限定されるものではない。
【００２３】
次に，放射器１０をアンテナ支持杆２に取付ける手順を説明する。アンテナ支持杆２には導波器３を取付ける為の導波器取付用の貫通孔２３に加えて，前記第５の導波器３Ｂより所定間隔Ｌ４だけ離れた後方位置に，前記導波器取付用の貫通孔２３と並行になるように放射器１０取付用の貫通孔２４がアンテナ支持杆２を貫通して形成されている。そして，放射器１０に備えられた第１および第２ループアンテナ１１，１２を貫通するようにアンテナ支持杆２を挿通して，前記ケース５の基台であるケース本体７の底部に形成された放射器取付部８が前記放射器取付用の貫通孔２４に対向する位置まで移動させる。放射器取付部８と放射器取付用の貫通孔２４とが略同一軸線上となったなら，アンテナ支持杆２の下方からネジ２５を放射器取付用の貫通孔２４に挿入する。尚，図に示される６はケース本体７の開口部を閉塞する蓋体であり，該蓋体６とケース本体７とでケース５を構成している。
ケース取付部８の略中央部には，前記ネジ２５に螺合する雌ネジ部を有するナット９が備えられているので，このナット９にネジ２５を螺合する事によって放射器１０はアンテナ支持杆２にしっかりと取付けられる。前記ケース取付部８が形成されたケース本体７の底部には，放射器１０にアンテナ支持杆２が取付けられたときに，アンテナ支持杆２の上側外周に当接するように形成された湾曲部１７ａを有する受片１７が，ケース取付部８を挟んでアンテナ支持杆２の軸方向に配列するようにケース本体７の前後に形成されており，放射器１０がアンテナ支持杆２に対して安定して取付けられるように構成されている。この取付け状態を図５（ｂ）に示す。
【００２４】
ここで放射器１０の組立て手順について説明する。ケース本体７の内部に形成される第１収納空間７ａの底部内面には，略中央部にネジ取付穴１４ａを有するボス１４が形成されている。このボス１４は前記位相調整手段１５としての伝送線路が形成されたプリント配線板４３を取付けると共に，第１ループアンテナ１１および第２ループアンテナ１２をケース本体７に固定する為のものである。前記プリント配線板４３にはボス１４に対向する位置に固定用の挿通孔（図には示されていない）が形成されているので，先ず，この固定用の挿通孔をボスのネジ取付穴１４ａに対向するようにプリント配線板４３をボス上に載置する。次に，第１ループアンテナ１１および第２ループアンテナ１２をケース本体７に取付ける。この第１ループアンテナ１１および第２ループアンテナ１２のケース本体７内に収納される接続点１１ａ，１１ａ´および１２ａ，１２ａ´を含む元部１１ｇおよび１２ｇの先端部は，プレス加工等によって平板上に形成されると共に，先端部を開放してＵ字形に形成した凹部（若しくは，取付孔）４１，４１´および４２，４２´（図には４１および４２だけが示されている。）が形成されているので，この凹部の上方からビス４４を凹部，プリント基板４３に形成された固定用挿通孔を介してネジ取付穴１４ａに螺合する事によって固着する。
【００２５】
位相調整手段１５を備えた前記プリント基板４３の取付が完了したのならば，プリント配線板４３の所定位置とアンテナ出力端子４０との間を平衡不平衡変換部４５等を介して接続する。収容部１８はこの平衡不平衡変換部４５等を収納すると共に，前記アンテナ出力端子４０を取付ける為の空間であり，ケース本体７の底部の一部から下方に突設して内部に第２収納空間１８ａを有し，この第２収納空間１８ａの底面にアンテナと外部とを接続するためのアンテナ出力端子としてＦ型同軸接栓座４０を備えるように構成されている。尚，図に示される１９は水切りスカート部であり，収容部１８の下面に，前記同軸接栓座４０と軸心を一致させた円筒状の水切りが下方に向けて２重に突設されている。
更に収容部１８は，アンテナ出力端子４０の先端部が，前記アンテナ支持杆の中心軸線上を通過し該中心軸線に略平行に形成される仮想平面（図４（ｂ）におけるＨ−Ｈ線）と略同じか下方向に位置するように形成されていることから，アンテナ出力端子４０に対して引込線を接続する際に，アンテナ支持杆２やループアンテナ１１，１２が邪魔になって接続の容易性を損なうことがない。一例として図５（ｂ）に示されるように，アンテナ出力端子４０の先端部がほぼループアンテナの下部放射素子１１ｅ，１２ｅが配列方向に形成する仮想平面上になるようにその高さが形成されていればよい。
また，平衡不平衡変換部４５等の収容部１８をアンテナ支持杆２が配設される側（即ち，下方に）でアンテナ支持杆２の取付けに邪魔にならない位置に突設したので，放射器１０のケース５がアンテナ支持杆２の上方に突設する部分が小さくできる。
尚，本発明の実施例では，収容部１８には平衡不平衡変換部４５等を収納する例を示したが，平衡不平衡変換部４５等ばかりでなく例えばこのＵＨＦアンテナの出力信号と，図には示されていない例えば衛星アンテナのような外付けのアンテナからの信号を混合して一つのアンテナ出力端子４０から出力する混合回路を収納してもよい。この場合，収容部１８の下面には，外付けアンテナからの引込線を接続する外付けアンテナ用の外部アンテナ入力端子を備えさせればよい。
【００２６】
次に，反射器の組立て手順について図６を用いて説明する。アンテナ支持杆２には導波器３を取付ける為の導波器取付用の貫通孔２３と放射器１０取付用の貫通孔２４に加えて，これらの貫通孔と略並行になるように反射器取付用の貫通孔２８がアンテナ支持杆２の後端部を貫通して形成されている。また，取付アングル５０のアンテナ支持杆取付部５２には貫通孔５５が形成されている。
そして，予め取付アングル５０を備えた反射器２０をアンテナ支持杆２の周径方向（本発明の実施例ではアンテナ支持杆２の上方）から，取付アングル５０のアンテナ支持杆取付部５２がアンテナ支持杆２の後端部に当接するように載置する。次に，アンテナ支持杆取付部５２に形成した貫通孔５５とアンテナ支持杆２に形成された反射器取付用貫通孔２８とが対向するように調節して，アンテナ支持杆取付部５２の貫通孔５５とアンテナ支持杆２の貫通孔２８とが略同一軸線上となったなら，アンテナ支持杆取付部５２の上方からネジ５３を挿入する。そして，アンテナ支持杆２の底面側においてナット５４に螺合することによって反射器２０はアンテナ支持杆２に確実に固定される。尚，図５に示される５６は止着片でありネジ５３とナット５４の締着によってアンテナ支持杆２が押しつぶされるのを防ぐための変形防止金具である。
尚，本発明の実施例では，反射器取付用の貫通孔２８で示されるのが請求項に記載のアンテナ支持杆２側の取付手段であり，アンテナ支持杆取付部５２の貫通孔５５で示されるのが請求項に記載の取付アングル５０側の取付手段である。また，ネジ５３とナット５４で示されるのが請求項に記載の止着手段である。
【００２７】
このように本発明に係るアンテナによれば，アンテナ支持杆２と反射器２０との間に介在させて相互を固着するための取付具である取付アングル５０は，従来例のような複雑な支持片の構成をしていないので極めて安価にでき，製品のコストダウンが実現できる。
そして，アンテナ支持杆取付部がアンテナ支持杆の端部における周方向の半分若しくはそれより狭い範囲の外周面に対応する形状を有するように形成された実施例の，アンテナ支持杆２と反射器２０の組付けにおいては，反射器２０に備えられた取付アングル５０を，アンテナ支持杆２の周径方向から当て付けることによって固定する方法であるので，例えば，アンテナの生産のときに，アンテナ支持杆２を治具等に置いた状態のままで上方からの反射器２０の取付作業だけで取付けができることから，アンテナ支持杆２を裏返したりすること無く反射器の取付が簡単にできる，生産性の優れた構造を有するアンテナとなり，延いては製品コストの安価なアンテナが提供できる。
【００２８】
更に，本発明の何れの実施例においても，反射器２０に備えられた取付アングル５０のアンテナ支持杆取付部５２をアンテナ支持杆２に取付けると共に，反射器２０若しくは取付アングル５０の構成部材とアンテナ支持杆２の後端側開口端とを当接させることによって，取付アングル５０の取付手段であるアンテナ支持杆取付部５２に形成された貫通孔５５と，アンテナ支持杆２に形成された取付手段である反射器取付用貫通孔２８とが略同一軸線上になるように構成しておくことによって，夫々の取付手段の位置決めに工数をかけることなく，取付手段を対向位置させることができ，これによってアンテナ支持杆２と反射器２０の固定が簡単にできるようになり，生産性が向上する。また取り扱いが容易で，その取付作業も簡単・安全にできる。
更に加えて，アンテナ支持杆２に反射器２０を取付けたときに，アンテナ支持杆２の後端側開口端全体が反射器２０若しくは取付アングル５０の構成部材によって閉塞されるように構成すれば，アンテナ支持杆２の切断面に取付けている，アンテナ支持杆２内部に風などによって舞い上げられた埃や砂，雨水等を防ぐための保護キャップを，従来のように両端側につけることなく前方側だけに取付ければよいので，部材の削減によるコストダウン，組み付け工数およびチェック工数の削減による組立費のコストダウンが実現できる。
尚，本発明は上記実施の形態に限定されるものではなく，各部の構成を適宜に変更して実施することも可能である。
【図面の簡単な説明】
【００２９】
【図１】本発明に係る放射器の実施例を示す概略斜視図である
【図２】本発明に係るアンテナの導波器の実施例を示す図であり，（ａ）は上面図，（ｂ）は正面図，（ｃ）は背面図，（ｄ）は右側面図である。
【図３】本発明に係るアンテナの反射器の実施例を示す図であり，（ａ）は斜視図，（ｂ）は反射器の取付構造を示す一部を破断した要部拡大図である。
【図４】本発明に係るアンテナの概略構成図であり，（ａ）は上面図，（ｂ）は側面図であリ，（ｃ）はアンテナの異なる実施例を示す側面図である。
【図５】は図４（ａ）におけるＡ−Ａ線断面図であり，（ｂ）は図４（ａ）におけるＢ−Ｂ線断面図（反射器は省略した）である。
【図６】図４（ａ）におけるＣ−Ｃ線断面図であり，（ｂ）は図６（ａ）におけるＤ−Ｄ線断面図（反射器は一部を破断した）である。
【図７】本発明に係るアンテナの放射器の電気的特性を示すデータである。
【符号の説明】
【００３０】
１…アンテナ，２…アンテナ支持杆，３（３Ａ，３Ｂ，３Ｃ）…導波器，５…ケース，６…蓋体，７…ケース本体，７ａ…第１収容空間，８…ケース取付部，９…ナット，１０…放射器，１１…第１ループアンテナ，１１ａ・１１ａ´…接続点，１１ｂ・１１ｃ…側部導波素子，１１ｄ…上部導波素子，１１ｅ…下部導波素子，１１ｇ…元部，１２…第２ループアンテナ，１２ａ・１２ａ´…接続点，１２ｂ・１２ｃ…側部導波素子，１２ｄ…上部導波素子，１２ｅ…下部導波素子，１２ｇ…元部，１４…ボス，１４ａ…ネジ取付穴，１５…位相調整手段，１７…受片，１７ａ…湾曲部，１８…収容部，１８ａ…第２収容空間，１９…水切りスカート部，２０…反射器，２１…ネジ，２２…ナット，２３…導波器取付用貫通孔，２４…放射器取付用貫通孔，２５…ネジ，２８…反射器取付用貫通孔，３０…第３ループアンテナ，３０ｄ…上部導波素子，３０ｅ…下部導波素子，３０ｂ・３０ｃ…側部導波素子，３０ｇ…元部，３１…ループアンテナ支持台，３２…突設片，３３…貫通孔，３４…挿通孔，４０…アンテナ出力端子，４１，４２…凹部，４３…プリント配線板，４４…ネジ，４５…平衡不平衡変換手段，５０…取付アングル，５１…湾曲，５２…アンテナ支持杆取付部，５３…ネジ，５４…ナット，５５…貫通孔，５６…止着片，５７…反射器取付部，６０…ネジ，６１…ナット。
【図１】
2008109456.tif 000003
【図２】
2008109456.tif 000004
【図３】
2008109456.tif 000005
【図４】
2008109456.tif 000006
【図５】
2008109456.tif 000007
【図６】
2008109456.tif 000008
【図７】
2008109456.tif 000009